(57)【要約】      （修正有）【課題】快眠が得られるとともに、頸椎の不整列や可動性減少（サブラクセーション）の矯正（アジャストメント）効果を有する枕を提供する。【解決手段】枕１は、硬質材料からなる直径２５〜４０ｍｍに形成された複数個の球状部材１１と、この球状部材１１の充填密度が０．１１〜０．１４個／ｃｍ２となるように充填された収容袋１２とを備えており、球状部材１１の形状、寸法及び収容袋１２に対する充填密度を適切なものとしているため、枕１に頭部及び頸部を載置するだけで、球状部材１１を頸椎を挟むように配置することができる。これにより、頸椎の両脇のツボが押圧され快眠が得られるとともに、頸椎の不整列や可動性減少の矯正効果が得られる。【選択図】図１
0003161156.tif 000002
【実用新案登録請求の範囲】
【請求項１】
硬質材料からなる直径２５〜４０ｍｍに形成された複数個の球状部材と、前記複数個の球体を収納し、頭部を載置するための収容袋と、を備えた枕であって、
前記複数個の球状部材は、前記収容袋が空の状態の平面視形状に対して、充填密度が０．１１〜０．１４個／ｃｍ２となるように収容されていることを特徴とする枕。
【請求項２】
前記複数個の球状部材は、ヒノキにより形成されていることを特徴とする請求項１に記載の枕。
【請求項３】
頭部を載置する面の中央部に頭部を案内する凹部が設けられていることを特徴とする請求項１または請求項２に記載の枕。
【請求項４】
頭部を載置する面に、前記複数個の球状部材の頭部へのあたりを緩衝するための緩衝材を挿入して配置することが可能な挿入部を備えていることを特徴とする請求項１ないし請求項３のいずれか１つに記載の枕。
【考案の詳細な説明】
【技術分野】
【０００１】
本考案は、快眠が得られるとともに、頸椎の不整列や可動性減少（サブラクセーション）の矯正（アジャストメント）効果を有する枕に関する。
【背景技術】
【０００２】
従来、寝心地向上などを目的として、例えば、袋体に多数のビーズやパイプ等の小片を詰めた枕（例えば、特許文献１）やウレタンフォームなどの低反発材料からなる枕（例えば、特許文献２）などが提案されている。
【先行技術文献】
【特許文献】
【０００３】
【特許文献１】特開平１０−１４５号公報
【特許文献２】特開２００２−１４２９４４号公報
【考案の概要】
【考案が解決しようとする課題】
【０００４】
しかし、袋体に多数のビーズやパイプ等の小片を詰めた枕では、使用中に小片の流動により型崩れ、高さの変化などを生じ、頭部及び頸部を適切に支持することができなくなり、必ずしも快眠が得られないという問題があった。
また、低反発材料からなる枕では、見かけは頭部の形状に沿っていても、各部を支持する力が適切であるとは限らず、必ずしも快眠が得られないという問題があった。
更に、近年、デスクワークの増加などにより、頸椎の不整列と可動性減少（サブラクセーション）が生じている人が増えているが、上述の枕はそのような状態を改善する機能は有していない。
【０００５】
そこで、本考案は、快眠が得られるとともに、頸椎の不整列や可動性減少（サブラクセーション）の矯正（アジャストメント）効果を有する枕を実現することを目的とする。
【課題を解決するための手段】
【０００６】
この考案は、上記目的を達成するため、請求項１に記載の考案では、硬質材料からなる直径２５〜４０ｍｍに形成された複数個の球状部材と、前記複数個の球体を収納し、頭部を載置するための収容袋と、を備えた枕であって、前記複数個の球状部材は、前記収容袋が空の状態の平面視形状に対して、充填密度が０．１１〜０．１４個／ｃｍ２となるように収容されている、という技術的手段を用いる。
【０００７】
請求項１に記載の考案によれば、枕が、硬質材料からなる直径２５〜４０ｍｍに形成された複数個の球状部材を、収容袋に、空の状態の平面視形状に対して充填密度が０．１１〜０．１４個／ｃｍ２となるように収容した構成を備えている。ここで、「硬質材料」とは、例えば、金属、木、硬質樹脂など、頭部の載置によりほとんど変形しない材料を意味する。また、「充填密度」とは、収容袋に充填された球状部材の個数を、収容袋が空の状態の平面視形状の面積で除して求めたものである。
この構成によれば、球状部材の形状、寸法及び収容袋に対する充填密度を適切なものとしているため、枕に頭部及び頸部を載置するだけで、球状部材を頸椎を挟むように配置することができる。これにより、頸椎の両脇のツボが押圧され快眠が得られるとともに、使用者が日常的に枕を使用することにより、頸椎の不整列や可動性減少（サブラクセーション）の矯正（アジャストメント）効果が得られる。
【０００８】
請求項２に記載の考案では、請求項１に記載の枕において、前記複数個の球状部材は、ヒノキにより形成されている、という技術的手段を用いる。
【０００９】
請求項２に記載の考案のように、複数個の球状部材をヒノキにより形成すると、ヒノキの香りによる快眠効果を得ることできる。また、抗菌効果や防臭効果も高いため、湿気を帯びやすい枕の構成材料として好適に用いることができる。
【００１０】
請求項３に記載の考案では、請求項１または請求項２に記載の枕において、頭部を載置する面の中央部に頭部を案内する凹部が設けられている、という技術的手段を用いる。
【００１１】
請求項３に記載の考案によれば、頭部を載置する面の中央部に頭部を案内する凹部が設けられているため、頭部及び頸部が安定するとともに、前弯が維持されるため、快眠を得ることができる。
【００１２】
請求項４に記載の考案では、請求項１ないし請求項３のいずれか１つに記載の枕において、頭部を載置する面に、前記複数個の球状部材の頭部へのあたりを緩衝するための緩衝材を挿入して配置することが可能な挿入部を備えている、という技術的手段を用いる。
【００１３】
請求項４に記載の考案によれば、頭部を載置する面に、複数個の球状部材の頭部へのあたりを緩衝するための緩衝材を挿入することができるので、球状部材のあたりがきついと感じる使用者は、あたりがやわらかくなるように簡単に調節することができる。
【図面の簡単な説明】
【００１４】
【図１】枕の説明図である。図１（Ａ）は斜視図であり、図１（Ｂ）は図１（Ａ）のＡ−Ａ矢視断面図である。
【図２】枕の使用状態を示す説明図である。図２（Ａ）は使用者の側面から見た断面説明図であり、図２（Ｂ）は使用者の頭部側から見た頸部近傍の断面説明図である。
【図３】頭部を載置する面の中央部に凹部が形成された枕の斜視図である。
【図４】カバーに球状部材の頭部へのあたりを緩衝するための緩衝材を挿入して配置することが可能な挿入部を設けた枕の斜視図である。
【考案を実施するための形態】
【００１５】
本考案における枕について、図を参照して説明する。
【００１６】
図１に示すように、枕１は、複数個の球状部材１１と、この球状部材１１が充填される収容袋１２と、収容袋１２に被せられたカバー１３と、を備えている。
【００１７】
球状部材１１は、硬質材料により直径が２５〜４０ｍｍの球状に形成されている。ここで、「硬質材料」とは、例えば、金属、木、硬質樹脂など、頭部の載置によりほとんど変形しない材料を意味する。本実施形態では、球状部材１１は直径が３５ｍｍの球状に形成されたヒノキを用いた。
球状部材１１をヒノキにより形成すると、ヒノキの香りによる快眠効果を得ることできる。また、抗菌効果や防臭効果も高いため、湿気を帯びやすい枕の構成材料として好適に用いることができる。
【００１８】
収容袋１２は、通気性がよく伸縮性が小さい布製であり、開口部と、ファスナー、紐など開口部の開閉を行う開閉部材と、を備え、球状部材１１を所定の充填密度で収容できるように構成されている。
収容袋１２の平面視形状は、幅方向は寝返り等に対応して頭部を支持可能な幅、奥行き方向は頭部を載置し、頸部を適切に支持可能な長さに形成されている。本実施形態では、収容袋１２は、球状部材１１が収容されていない空の状態の平面視形状で、奥行き３６０ｍｍ×幅５００ｍｍに形成されている。
【００１９】
カバー１３は、通気性が良く、肌触りのよい布製であり、収容袋１２を覆う形状に形成されている。枕１の使用者は、載置面１３ａに頭部を載置して用いる。カバー１３は、収容袋１２と一体的に形成することもできる。
【００２０】
球状部材１１は、収容袋１２内で適度に移動可能であるとともに、枕１が適切な高さを保持するために、収容袋１２が空の状態の平面視形状に対して、充填密度が０．１１〜０．１４個／ｃｍ２となるように収容されている。ここで、「充填密度」とは、収容袋１２に充填された球状部材１１の個数を、収容袋１２が空の状態の平面視形状の面積で除して求めたものである。
【００２１】
例えば、収容袋１２の平面視形状が、奥行き３６０ｍｍ×幅５００ｍｍに形成されている場合には、２００〜２２０個の球状部材１１を収容する。このとき、充填密度が約０．１１〜０．１２個／ｃｍ２となり、載置面１３ａの高さは、７０〜８０ｍｍとなる。
また、体格が小さい人に適した枕１では、収容袋１２の平面視形状が、奥行き２５０ｍｍ×幅４５０ｍｍに形成されており、１３０〜１５０個の球状部材１１を収容する。このとき、充填密度が約０．１１〜０．１３個／ｃｍ２となり、載置面１３ａの高さは、５０〜７０ｍｍとなる。
【００２２】
次に、枕１の使用状態について図２を参照して説明する。枕１の載置面１３ａに頭部２１及び頸部２２を載置すると、球状部材１１が、頭部２１及び頸部２２の重みにより、頭部２１及び頸部２２の形状に対応して収容袋１２内部を適度に拘束された状態で移動する。そして、図２（Ｂ）に示すように  頸部２２に当たる球状部材１１が頸椎２３を挟んで支持するように配列される。  
【００２３】
これにより、球状部材１１が頸椎２３の両脇のツボを頭重により押圧するため、使用者は快眠を得ることができ、頭痛、肩こりなどを改善する効果もある。
また、球状部材１１が頸椎２３を挟んで支持するため、使用者が日常的に枕１を使用することにより、頸椎２３の不整列や可動性減少（サブラクセーション）の矯正（アジャストメント）効果が得られる。
【００２４】
球状部材１１が、球状部材１１が頸椎２３を挟んで適切に支持するためには、直径が２５〜４０ｍｍが好適な寸法となる。また、ツボの押圧効果、頸椎２３の不整列や可動性減少（サブラクセーション）の矯正（アジャストメント）効果を発現するためには、硬質材料で形成されることが必要である。
【００２５】
球状部材１１の充填密度が高すぎると、頭部２１を枕１に載置しても球状部材１１が収容袋１２内部を十分に移動することができず、頸部２２を挟んだ配置にならない。また、枕１の高さが高くなりすぎてしまい快眠が得られない。
充填密度が低すぎると、球状部材１１が平坦に配置されてしまい、球状部材１１が十分に頸部２２両脇を押圧することができない。また、枕の高さが低くなり快眠が得られない。上記より充填密度として０．１１〜０．１４個／ｃｍ２が好適である。
【００２６】
なお、本発明は上述した実施形態に限定されるものではなく、その要旨を逸脱しない範囲において種々の変更を加えることができる。
【００２７】
［実施形態の効果］
本考案の枕１によれば、球状部材１１の形状、寸法及び収容袋１２に対する充填密度を適切なものとしているため、枕１に頭部２１及び頸部２２を載置するだけで、球状部材１１を頸椎２３を挟むように配置することができる。
これにより、頸椎２３の両脇のツボが押圧され快眠が得られるとともに、使用者が日常的に枕１を使用することにより、頸椎２３の不整列や可動性減少（サブラクセーション）の矯正（アジャストメント）効果が得られる。
【００２８】
［その他の実施形態］
図３に示すように、載置面１３ａの中央部に頭部２１を案内する凹部１４を設けた構成を採用することができる。凹部１４は、頭部２１の形状に対応したくぼみであって、頭部２１及び頸部２２が安定するとともに、前弯が維持されるため、快眠を得ることができる。
【００２９】
図４に示すように、カバー１３の載置面１３ａに、球状部材１１の頭部２１及び頸部２２へのあたりを緩衝するためのタオル等の緩衝材３１を挿入して配置することが可能な挿入部１５を備える構成を採用することができる。この構成によれば、使用者は、球状部材１１のあたりがきついと感じた場合、あたりがやわらかくなるように簡単に調節することができる。
【符号の説明】
【００３０】
１  枕
１１  球状部材
１２  収容袋
１３  カバー
１３ａ  載置面
１４  凹部
１５  挿入部
２１  頭部
２２  頸部
２３  頸椎
３１  緩衝材
【図１】
0003161156.tif 000003
【図２】
0003161156.tif 000004
【図３】
0003161156.tif 000005
【図４】
0003161156.tif 000006